(57)【要約】【課題】コイルスプリングを使用せず部品点数を最小限にしながら、閉止状態では確実な係合力にて閉止状態を安定化する両開き式綴込具を提供する。【解決手段】開閉側板２０の外側に係止する係止片４１を設ける。該係止片４１から基板１０の内側に向けて屈曲縁長された被押圧片４２を設ける。係止片４１と被押圧片４２とからなるバネ板４０を形成する。バネ板４０を連結軸１１に軸支する。櫛板３０に押込み板３４を設ける。バネ板４０の被押圧片４２を櫛板３０の押込み板３４にて押圧する。バネ板４０の弾性力にて係止部２１と被係止部３１とが係止するように設ける。【選択図】  図１
2014213468.tif 000002
【特許請求の範囲】
【請求項１】
矩形状の基板と、該基板の左右両側縁部に連結軸を介して揺動可能に連結され、上端部に係止部を有する一対の開閉側板と、該開閉側板の内側でそれぞれ対向するように配置された嵌合自在な綴杆を備え、連結軸の側面に当接支持せしめる支持脚を有すると共に、開閉側板の係止部に係脱自在に係止せしめる被係止部が形成され、開閉側板の内側に保持される一対の櫛板と、から成る両開き式綴込具において、
開閉側板の外側に係止する係止片と該係止片から基板方向に向けて屈曲縁長された被押圧片とを備えたバネ板を設け、
該バネ板を連結軸に揺動自在に軸支すると共に、バネ板の被押圧片を櫛板側から基板方向に押圧せしめる押込み板を櫛板に設け、該押込み板にて被押圧片を押し込むと、バネ板の弾性力にて係止片が開閉側板を内側に押圧し係止部と被係止部とが係止するように設けたことを特徴とする両開き式綴込具。
【請求項２】
前記バネ板は、前記連結軸を挿通せしめる軸受け部を備え、該軸受け部から前記基板の外側上方に向けて前記係止片が形成されると共に、軸受け部から前記基板の内側に向けて前記被押圧片が側面く字形状に形成され、前記押込み板の先端にて前記被押圧片を押し込んだときに、前記係止片が前記開閉側板方向に回転すると共に、前記被押圧片が撓むように構成した請求項１記載の両開き式綴込具。
【請求項３】
前記バネ板の前記係止片側に保持片を併設すると共に、該保持片が当接する前記開閉側板の位置に係止凹部を形成し、開放時の前記開閉側板が前記基板がわに傾倒したときに、係止凹部内の保持片が前記開閉側板を支持するように構成した請求項１記載の両開き式綴込具。
【発明の詳細な説明】
【技術分野】
【０００１】
本発明は、各種の書類を綴込むファイル用綴込具に係り、特に書類やカタログ等を多量に綴込むのに適した両開き式綴込具に関するものである。
【背景技術】
【０００２】
従来、両開き式の綴込具が提案されている。この綴込具は、片開き式の綴込具と比べて多くの書類をスムーズに綴り込むことが可能になるが、その一方で、両側の櫛板が着脱になるため、多量の書類を綴り込む場合に、綴込具の閉止状態が不安定になるという不都合が生じていた。
【０００３】
すなわち、従来の両開き式綴込具の構成は、ファイル側に固定された基板に揺動自在に連結されている左右一対の開閉側板と、２本の綴杆に書類を綴り込んだ状態で開閉側板に係合する一対の櫛板とを備えているもので、開閉側板と櫛板との係合状態が適正でなければ綴込具の閉止状態が不安定になるものであった。
【０００４】
そこで、このような両開き式の綴込具の係合状態を安定化するため、従来では、特許文献１に記載のごとく、開閉側板にコイルスプリングを設け、このコイルスプリングの弾性力を利用して金属製の開閉側板と櫛板との係合力を安定させる構成のものが一般的であった。
【０００５】
また、特許文献２や特許文献３に記載の綴込具のごとく、係合部分に合成樹脂材を利用し、係合部分が変位することで開閉側板と櫛板との係合力を得られるようにした特殊な綴込具も提案されている。
【先行技術文献】
【特許文献】
【０００６】
【特許文献１】特開平１０−５８８８０号公報
【特許文献２】特開２００８−３０２５０８号公報
【特許文献３】特開２０１１−１４８２０６号公報
【発明の概要】
【発明が解決しようとする課題】
【０００７】
ところが特許文献１の金属製の綴込具では、コイルスプリングを開閉側板に設けるため、コイルスプリングに連繋する開閉側板の構成が複雑にならざるを得ない。そのため、部品点数が多くなり、組み立て工程が複雑になり、製造コストが高くなるといった多くの不都合があった。
【０００８】
また、特許文献２や特許文献３に記載の綴込具のように、開閉側板の係合部分に合成樹脂材を利用したものは、係合部分の厚みが増してしまうので、係合力を調整することが困難になっていた。しかも、係合部分が合成樹脂製の場合、開閉側板の係合、解除を何回も繰り返していると、係合部分が次第に変形して緩みが生じるおそれもあった。
【０００９】
そこで本発明は、上述の課題を解消すべく創出されたもので、金属製の両開き式綴込具において、コイルスプリングを使用せず部品点数を最小限にしながら、閉止状態では確実な係合力にて閉止状態を安定化し、しかも、開閉側板の開放状態では書類と共に櫛板を抜き差しする際の操作性を損なうことのない両開き式綴込具の提供を目的とするものである。
【課題を解決するための手段】
【００１０】
上述の目的を達成すべく本発明における第１の手段は、矩形状の基板１０と、該基板１０の左右両側縁部に連結軸１１を介して揺動可能に連結され、上端部に係止部２１を有する一対の開閉側板２０と、該開閉側板２０の内側でそれぞれ対向するように配置された嵌合自在な綴杆３３を備え連結軸１１の側面に当接支持せしめる支持脚３２を有すると共に、開閉側板２０の係止部２１に係脱自在に係止せしめる被係止部３１が形成され、開閉側板２０の内側に保持される一対の櫛板３０と、から成る両開き式綴込具において、
開閉側板２０の外側に係止する係止片４１と該係止片４１から基板１０方向に向けて屈曲縁長された被押圧片４２とを備えたバネ板４０を設け、
該バネ板４０を連結軸１１に揺動自在に軸支すると共に、バネ板４０の被押圧片４２を櫛板３０側から基板１０方向に押圧せしめる押込み板３４を櫛板３０に設け、
該押込み板３４にて被押圧片４２を押し込むと、バネ板４０の弾性力にて係止片４１が開閉側板２０を内側に押圧し係止部２１と被係止部３１とが係止するように設けたことにある。
【００１１】
第２の手段において、前記バネ板４０は、前記連結軸１１を挿通せしめる軸受け部４３を備え、該軸受け部４３から前記基板１０の外側上方に向けて前記係止片４１が形成されると共に、軸受け部４３から前記基板１０の内側に向けて前記被押圧片４２が側面く字形状に形成され、
前記押込み板３４の先端にて前記被押圧片４２を押し込んだときに、前記係止片４１が前記開閉側板２０方向に回転すると共に、前記被押圧片４２が撓むように構成したものである。
【００１２】
第３の手段は、前記バネ板４０の前記係止片４１側に保持片４４を併設すると共に、該保持片４４が当接する前記開閉側板２０の位置に係止凹部２２を形成し、開放時の前記開閉側板２０が前記基板１０がわに傾倒したときに、係止凹部２２内の保持片４４が前記開閉側板２０を支持するように構成したものである。
【発明の効果】
【００１３】
本発明の請求項１によると、押込み板３４にて被押圧片４２を押し込むと、バネ板４０の弾性力にて係止片４１が開閉側板２０を内側に押圧し係止部２１と被係止部３１とが係止するように設けたことにより、金属製の両開き式綴込具において、コイルスプリングを使用せずに安定した係合状態を維持することに成功した。この結果、部品点数が少なく、組み立て工程が容易になり製造コストを下げることができる。
【００１４】
請求項２のごとく、前記押込み板３４の先端にて前記被押圧片４２を押し込んだときに、前記係止片４１が前記開閉側板２０方向に回転すると共に、前記被押圧片４２が撓むように構成したことで、バネ板４０の押圧付勢力にて係止部２１と被係止部３１とを確実に係合させることができる。したがって、閉止状態では確実な係合力にて閉止状態を安定化することに成功した。
【００１５】
請求項３により、開放時の前記開閉側板２０が前記基板１０がわに傾倒したときに、係止凹部２２内の保持片４４が前記開閉側板２０を支持するように構成したことで、櫛板３０を取外した後の開放された開閉側板２０の位置を係止凹部２２と保持片４４が規制している。この結果、開放時の開閉側板２０は、外側に大きく開いてバネ板４０に押込み板３４を当て易い位置にあるか、あるいは、開閉側板２０が基板１０の内側に傾斜した位置にあっても、櫛板３０を装着し易い位置に保持されており、開放状態では常に書類等を抜き差しする際の操作性を損なうことがない。
【図面の簡単な説明】
【００１６】
【図１】本発明の一実施例を示す分解斜視図である。
【図２】本発明の一実施例を示す斜視図である。
【図３】本発明のバネ板を示す斜視図である。
【図４】本発明の装着状態を示す正面図である。
【図５】（イ）〜（ハ）は、本発明の係合状態を示す要部拡大断面図である。
【図６】本発明のバネ板の保持片と係止凹部を示す断面図である。
【発明を実施するための形態】
【００１７】
本発明によると、コイルスプリングを使用せず部品点数を最小限にしながら、閉止状態では確実な係合力にて閉止状態を安定化し、しかも、開閉側板の開放状態では書類と共に櫛板を抜き差しする際の操作性を損なうことがないといった当初の目的を達成した。
【００１８】
以下、本発明の実施例を説明する。本発明綴込具の基本構成は、基板１０、開閉側板２０、櫛板３０、バネ板４０にて構成される（図１、図２参照）。
【００１９】
基板１０は、矩形状を成し、ファイルの表紙などに固定する部材である。この基板１０の左右側縁部に開閉側板２０が揺動自在に装着されている。
【００２０】
開閉側板２０は、連結軸１１を介して基板１０の長手両側縁部に揺動可能に連結された部材である（図１参照）。この開閉側板２０の上部には、係止部２１を形成してあり、後述する櫛板３０の被係止部３１に係止する。また、開閉側板２０は、連結軸１１に装着されたバネ板４０の保持片４４により、開放時でも内側に倒れないように姿勢が保持されている（図６参照）。
【００２１】
櫛板３０は、開閉側板２０の内側に着脱自在に保持される部材で、該開閉側板２０の内側でそれぞれ対向するように配置された嵌合自在な綴杆３３を備えている（図２参照）。この櫛板３０の綴杆３３は、筒状の３３Ａ鞘部の中に杆体状の綴部３３Ｂを差込自在に構成したものである（図１参照）。そして、櫛板３０の下側縁に沿って、連結軸１１の側面に当接支持せしめる支持脚３２を設けている。また、櫛板３０の上側縁の中央部には、前述した開閉側板２０の係止部２１に係脱自在に係止せしめる被係止部３１を形成している。更に、櫛板３０の下側縁中央に押込み板３４を突設している。この押込み板３４は、後述するバネ板４０の被押圧片４２を櫛板３０側から押圧せしめる板状の部材である。
【００２２】
バネ板４０は、係止片４１、被押圧片４２、軸受け部４３、保持片４４を一体成形した板状の部材である（図３参照）。係止片４１は、開閉側板２０の外側に係止する部位であり、被押圧片４２は、係止片４１から基板１０の内側に向けて屈曲縁長された部位になっている（図６参照）。図示の被押圧片４２は、軸受け部４３から基板１０に向けて側面く字形状に屈曲されている。
【００２３】
このバネ板４０は軸受け部４３にて連結軸１１に装着されている（図１参照）。軸受け部４３は、連結軸１１に軸支する略筒状の部位であり、この軸受け部４３によってバネ板４０が開閉側板２０と共に連結軸１１に揺動自在に軸着され、櫛板３０の動きと共に回転するものである（図４参照）。図示例では、連結軸１１を介して本体１０の外側に係止片４１が突出し、内側に被押圧片４２が突出している（図５（イ）参照）。この被押圧片４２に櫛板３０の押込み板３４が接触すると、連結軸１１を中心にして係止片４１が開閉側板２０と共に回転する（同図（ロ）参照）。更に、押込み板３４を押し込むと、押圧片４２が撓みバネ板４０に弾性力が生じる。そうすると、係止片４１が開閉側板２０を内側に向けて更に押圧付勢し、櫛板３０の被係止部３１に開閉側板２０の係止部２１が係止して開閉側板２０と櫛板３０とが係合するものである（同図（ハ）参照）。
【００２４】
保持片４４は、開閉側板２０が内側に倒れこむ際に、一定の位置に保持する部位である（図６参照）。すなわち、この保持片４４は、バネ板４０の係止片４１側に係止片４１と共に併設した部位である。一方、この保持片４４が当接する位置の開閉側板２０に係止凹部２２を形成している。そして、係止凹部２２の内側に保持片４４が係止することで、開放時の前記開閉側板２０が基板１０がわに倒れないように規制している。また、この保持片４４と係止凹部２２との構成は、バネ板４０を連結軸１１に軸支する際に、開閉側板２０の適正位置にセットする際にも位置合せとして有効に機能するものである。すなわち、係止片４１と保持片４４とを併設しているので、係止片４１を開閉側板２０の外側に配置し、保持片４４を係止凹部２２の内側に配置するようにセットすることで、バネ板４０の位置合せが適正になるものである。
【００２５】
開放状態の開閉側板２０において、本体１０の外側に開閉側板２０が開いている場合は、バネ板４０の被押圧片４２が露出した状態にある（図１参照）。この場合、いつでも櫛板３０の押込み板３４を押圧できるので、櫛板３０に綴り込んだ書類を開閉側板２０に装着できる状態になっている。一方、開閉側板２０が本体１０の内側に倒れこんだ場合でも、係止凹部２２内の保持片４４が開閉側板２０の位置を規制しているので、開閉側板２０が基板１０上に折り重なることはない（図６参照）。したがって、いつでもその状態から開閉側板２０を外側に開いた状態に簡単に移行できるので、開放状態でも、書類等を抜き差しする際の操作性を損なうことはない。
【産業上の利用可能性】
【００２６】
本発明支持具は、両開き式綴込具として説明しているが、一方のみが開閉する片開き式の綴込具に利用することも可能である。また、本発明の基板１０、開閉側板２０、櫛板３０等の構成は図示例に限られるものではなく、従来周知の構成を利用することができるなど、本発明の要旨を変更しない範囲で自由に設計変更できるものである。
【符号の説明】
【００２７】
１０  基板
１１  連結軸
２０  開閉側板
２１  係止部
３０  櫛板
３１  被係止部
３２  支持脚
３３  綴杆
３３Ａ  鞘部
３３Ｂ  綴部
３４  押込み板
４０  バネ板
４１  係止片
４２  被押圧片
４３  軸受け部
４４  保持片
【図１】
2014213468.tif 000003
【図２】
2014213468.tif 000004
【図３】
2014213468.tif 000005
【図４】
2014213468.tif 000006
【図５】
2014213468.tif 000007
【図６】
2014213468.tif 000008